(57)【要約】【課題】散水作業を簡略化することができ、システムの構築及び撤収も容易な育苗システムを提供する。【解決手段】設置面１１上に形成された透水性保水層１２と、透水性保水層１２上に形成された透水層１３と、透水層１３上に載置された透水性の底部を有する育苗箱１４と、を備え、育苗箱１４に充填された培土において稲苗１６が育成されている。透水性保水層１２は、土材、セメント系固化剤及び団粒化剤を含む混合物を型枠に充填して、固化させることによって製作した略直方体形状のブロック体１２ａを設置面１１上に複数配列することによって形成されている。団粒化剤として、アクリル酸・メタクリル酸ジメチルアミノエチル共重合物のマグネシウム塩とポリエチレンイミンとの複合体からなる高分子化合が使用され、透水層１３は不織布で形成されている。【選択図】図１
2009189330.tif 000002
【特許請求の範囲】
【請求項１】
設置面上に形成された透水性保水層と、前記透水性保水層上に形成された透水層と、前記透水層上に載置された透水性の底部を有する育苗箱と、を備え、前記透水性保水層を、土材、セメント系固化剤及び団粒化剤を含む混合物を固化させて形成したことを特徴とする育苗システム。
【請求項２】
前記団粒化剤として、アクリル酸・メタクリル酸ジメチルアミノエチル共重合物のマグネシウム塩とポリエチレンイミンとの複合体からなる高分子化合物を用いた請求項１記載の育苗システム。
【請求項３】
前記透水層を不織布で形成した請求項１または２記載の育苗システム。
【発明の詳細な説明】
【技術分野】
【０００１】
本発明は、動力式田植機を用いて田植えを行う際に使用される稲苗を育苗箱内で育成する育苗システムに関する。
【背景技術】
【０００２】
動力式田植機によって田植えを行う際に使用される稲苗は、通常、専用の育苗箱を用いて育成される。一般的には、育苗箱に充填した培土中に種籾を播き、所定の育苗場所に育苗箱を並べ、培土が乾燥しないように定期的に散水を行いながら育成される。寒冷地などでは、育苗箱を温室内に収容したり、育苗箱の上面を保温シートで覆ったりされることもある。
【０００３】
稲作農家においては、育苗期間中、毎日のように培土の状態を観察し、天気や気温の状況を考慮しながら、散水を行わなければならないので、この散水作業に多くの労力が費やされている。また、生育中の稲苗に、散水が原因と思われる病気が発生する、という報告もなされている。そこで、育苗期間中の散水の手間を省くことのできる育苗システムが提案されている（例えば、特許文献１参照。）。
【０００４】
【特許文献１】特開２００２−３２５５１４号公報
【発明の開示】
【発明が解決しようとする課題】
【０００５】
特許文献１記載の育苗システムを使用することにより、散水作業を省力化したり、作業性を向上させたりすることができるが、この育苗システムは構造が複雑であり、構築するに当たっては多くの資材が必要である。また、育苗を開始する際の育苗システムの構築作業及び育苗期間終了後の撤収作業にも多くの労力と時間が必要である。
【０００６】
本発明が解決しようとする課題は、散水作業を省力化することができ、システムの構築及び撤収も容易な育苗システムを提供することにある。
【課題を解決するための手段】
【０００７】
本発明の育苗システムは、設置面上に形成された透水性保水層と、前記透水性保水層上に形成された透水層と、前記透水層上に載置された透水性の底部を有する育苗箱と、を備え、前記透水性保水層を、土材、セメント系固化剤及び団粒化剤を含む混合物を固化させて形成したことを特徴とする。
【０００８】
土材とセメント系固化剤を混合したものに団粒化剤を加えると、イオンの作用により、土材とセメント系固化剤の粒子とが立体的な団粒構造を形成するので、連続した空隙が生じる。このため、これらの混合物を固化させて形成した透水性保水層は、水分を吸収する透水機能と、水分を内部に貯留する保水機能とを兼備したものとなる。また、透水性保水層は、土材、セメント系固化剤及び団粒化剤を含む混合物を固化させて形成したものであるため、雨水や散水などの水分によって溶解したり、溶出したりせず、載置された育苗箱の重さで透水性保水層が変形したり、崩壊したりすることもない。
【０００９】
従って、育苗期間中に、本発明に係る育苗システムに対して降り注いだ雨水や散水作業によって供給された水分は育苗箱内の培土中に染み込んで透水性の底部を通過した後、さらに、その下方の透水層を通過して透水性保水層に浸透し、その内部に貯留される。そして、稲苗の水分吸収や蒸発により育苗箱内の水分が減少すると、透水性保水層内の水分が徐々に上昇し、透水層及び透水性の底部を通過して育苗箱内へ供給されるため、従来のように頻繁に散水を行う必要がなくなり、散水作業を省力化することができる。
【００１０】
また、本発明の育苗システムは、土材、セメント系固化剤及び団粒化剤を含む混合物を固化させて形成した透水性保水層上に透水層を形成し、その上に育苗箱を載置すれば完成するため、システムの構築は容易である。さらに、育苗期間の終了後は、育苗箱を取り去った後の透水層及び透水性保水層をそのまま移動または破砕すれば良いので、撤収作業も容易である。なお、透水性保水層の形成方法は限定しないので、例えば、前記混合物を、直接、設置面上に打設して固化させることによって形成する方法や、前記混合物を所定の型枠に入れて固化させて製作したブロック体を設置面上に配列することによって形成する方法などを採用することができる。
【００１１】
ここで、透水性保水層を形成する際に使用する前記団粒化剤として、アクリル酸・メタクリル酸ジメチルアミノエチル共重合物のマグネシウム塩とポリエチレンイミンとの複合体からなる高分子化合物を用いることが望ましい。前記高分子化合物は、鎖状の極めて長い分子長の有機高分子がヘリックス状の分子構造を形成したものであり、強い電荷作用を有している。即ち、各分子が強い正の電荷をもっているため、負の表面電荷を有する粒状体や粉状体と混合すると、これらの粒子群と瞬時に反応し、粒子同士を結合して集合体を形成し、さらに、これらの集合体を連結、架橋して立体網目構造を形成する団粒化作用に優れている。
【００１２】
従って、前記高分子化合物の添加によって形成される立体網目構造体は優れた強度、安定性、持続性を発揮する。このため、強固で耐久性に優れた透水性保水層を形成することができる。
【００１３】
一方、前記透水層を不織布で形成することが望ましい。このような構成とすれば、育苗箱と透水性保水層との密着性が高まり、毛管現象による、透水性保水層から育苗箱への水分の供給が効率良く行われるため、稲苗を安定的に育成することができる。なお、前記透水層の材料は不織布に限定しないので、例えば、前記透水性保水層上に前記混合物を層状に打設して固化させることによって形成することもできる。
【発明の効果】
【００１４】
本発明により、散水作業を簡略化することができ、システムの構築及び撤収も容易な育苗システムを提供することができる。
【発明を実施するための最良の形態】
【００１５】
以下、図面に基づいて、本発明の実施の形態について説明する。図１は本発明の実施の形態である育苗システムを示す側面図、図２は図１に示す育苗システムの一部拡大断面図である。
【００１６】
図１，図２に示すように、本実施形態の育苗システム１０は、設置面１１上に形成された透水性保水層１２と、透水性保水層１２上に形成された透水層１３と、透水層１３上に載置された複数の育苗箱１４と、を備えている。育苗箱１４の底部１４ｂに複数の貫通孔１４ａを開設することにより、底部１４ｂ全体に透水性をもたせている。育苗箱１４内に充填された培土１５において多数の稲苗１６が育成されている。
【００１７】
透水性保水層１２は、土材、セメント系固化剤及び団粒化剤を含む混合物を型枠（図示せず）に充填して固化させることによって形成した略直方体形状のブロック体１２ａを設置面１１上に複数配列することによって形成されている。土材、セメント系固化剤及び団粒化剤の混合比率は限定しないが、本実施形態では、土材１００ｋｇに対し、セメント系固化剤１０ｋｇ〜２０ｋｇ及び団粒化剤０．０５リットル〜０．２リットルを添加して形成した混合物を型枠に充填、固化させることによってブロック体１２ａを形成している。また、セメント系固化剤として住友大阪セメント株式会社の「タフロックＴＬ―３Ｅ（商品名）」を使用し、団粒化剤として有限会社グローバル研究所の「ＧＢ−２０００（商品名）」を使用しているが、これらに限定するものではない。
【００１８】
前述したように、土材とセメント系固化剤を混合したものに団粒化剤を加えると、イオンの作用により、土材とセメント系固化剤の粒子とが立体的な団粒構造を形成するので、連続した空隙が生じる。このため、これらの混合物を固化させて形成した透水性保水層１２は、水分を吸収する透水機能と、水分を内部に貯留する保水機能とを兼備したものとなる。また、透水性保水層１２は、土材、セメント系固化剤及び団粒化剤を含む混合物を固化させて形成したものであるため、雨水や散水などの水分によって溶解したり、溶出したりせず、載置された育苗箱１４の重さで透水性保水層１２が変形したり、崩壊したりすることもない。
【００１９】
従って、本実施形態の育苗システム１０に降り注いだ雨水や散水作業によって供給された水分は、育苗箱１４内の培土１５中に染み込んだ後、底部１４ｂの貫通孔１４ａを通過し、さらに、その下方の透水層１３を通過して透水性保水層１２に浸透し、その内部に貯留される。そして、育苗期間中、稲苗１６の水分吸収や気温上昇時の蒸発により育苗箱１４内の培土１５中の水分が減少すると、透水性保水層１２内の水分が徐々に上昇し、透水層１３及び底部１４ｂの貫通孔１４ａを通過して育苗箱１４内の培土１５中へ供給される。このため、従来、育苗箱１４内の培土１５が乾燥しないように頻繁に行う必要があった散水の回数を減らすことができ、散水作業を省力化することができる。
【００２０】
また、育苗箱１４と透水性保水層１２との間に透水層１３を介在させているため、透水性保水層１２から貫通孔１４ａを経由して育苗箱１４内の培土１５中への水分の供給が円滑に行われる。本実施形態では、透水層１３を不織布で形成しているため、育苗箱１４と透水性保水層１２との密着性が高く、毛管現象による、透水性保水層１２から育苗箱１４への水分の供給が効率良く行われるため、稲苗１６の生育状態も安定する。一方、透水性保水層１２上に前記混合物を層状に打設して、固化させることによって透水層１３を形成することもできる。
【００２１】
本実施形態の育苗システム１０は、土材、セメント系固化剤及び団粒化剤を含む混合物を固化させて製作した複数のブロック体１２ａを設置面１１上に配列して形成した透水性保水層１２上に透水層１３を形成し、その上に、培土１５などを充填した育苗箱１４を載置すれば完成するため、システムの構築は比較的容易である。また、育苗期間の終了後は、育苗箱１４を取り去った後の透水層１３及び透水性保水層１２のブロック体１２ａをそのまま移動するかまたは破砕すれば良いので、撤収作業も容易である。なお、透水性保水層の形成方法は、前述したブロック体１２ａを用いた方法に限定しないので、例えば、前記混合物を、直接、設置面１１上に打設して固化させることによって透水性保水層を形成することもできる。
【００２２】
また、透水性保水層１２を構成するブロック体１２ａを製作する際の材料である前記団粒化剤として、アクリル酸・メタクリル酸ジメチルアミノエチル共重合物のマグネシウム塩とポリエチレンイミンとの複合体からなる高分子化合物を用いている。この高分子化合物の添加によって形成される立体網目構造体は優れた強度、安定性、持続性を発揮するため、強固で耐久性に優れた透水性保水層１２を形成することができる。
【００２３】
一方、透水性保水層１２中の水分が蒸発したり、設置面１１中へ浸透したりすることにより、育苗用の水分が無駄に散逸するのを防止するため、透水性保水層１２の周囲を遮水性部材で被覆したり、透水性保水層１２と設置面１１との間に遮水シート（図示せず）を敷設したり、あるいは設置面１１上に載置した非透水性の容器または構造体（図示せず）の内部に透水性保水層１２を形成したりすることもできる。
【産業上の利用可能性】
【００２４】
本発明は一般の稲作農業の分野における育苗手段として広く利用することができる。
【図面の簡単な説明】
【００２５】
【図１】本発明の実施の形態である育苗システムを示す側面図である。
【図２】図１に示す育苗システムの一部拡大断面図である。
【符号の説明】
【００２６】
１０  育苗システム
１１  設置面
１２  透水性保水層
１２ａ  ブロック体
１３  透水層
１４  育苗箱
１４ａ  貫通孔
１４ｂ  底部
１５  培土
１６  稲苗
【図１】
2009189330.tif 000003
【図２】
2009189330.tif 000004